(57)【要約】【課題】  材質に特に限定されることがなく、フラットな形状であることから嵩張ることも無く、しかしながら、書籍に挟んでいる間にずれることが無く、本を開くと直ぐに読み始める箇所など必要な箇所が分かるしおりを提供する。【解決手段】  短冊状のシートＳＨからなり、シートの短辺ＴＡの一方側ＴＡ１に切れ目４により形成された舌部２と、舌部以外の本体部１とから構成され、本体部は、切れ目とは繋がっていない長辺方向に長い長孔３を有するしおり１０。【選択図】  図１
0003203902.tif 000002
【実用新案登録請求の範囲】
【請求項１】
短冊状のシートからなり、
前記シートの短辺の一方側に切れ目により形成された舌部と、前記舌部以外の本体部とから構成され、
前記本体部は、前記切れ目とは繋がっていない長辺方向に長い長孔を有する、
しおり。
【請求項２】
前記舌部と前記本体部は、少なくとも長辺方向の前記切れ目において互いに接することを特徴とする請求項１に記載のしおり。
【請求項３】
前記切れ目の終端部において、前記短辺の一方側に凸の曲率を有する切り込みを備えることを特徴とする請求項１または２に記載のしおり。
【考案の詳細な説明】
【技術分野】
【０００１】
本考案は、書籍等に挟んで使用するしおりに関し、特に、本を開くと直ぐに読み始める箇所など必要な箇所が分かるしおりに関する。
【背景技術】
【０００２】
従来から、書籍等に挟んで使用する可撓性の金属などの素材により作製され、本を開くと直ぐに読み始める箇所が分かるようになったクリップ状のしおりが知られている。たとえば、特許文献１は、読書中断時の読書中断頁、及び、読書中断行、又は、読書最終行を示すことができると共に、クリップとして、頁を開いたままで保持することができるクリップしおりを開示する。このクリップしおりは、可撓性の長板が長手方向所定箇所で所定間隙を有するように折曲されて、その折曲部の一方に表板が形成され、他方に裏板が形成されて成り、本に差し込み易いように、表板は、長手方向長さが裏板より短く形成される。クリップしおりは、本の頁を挟持するため、折曲部の弾性により、表板の先端部と、裏板とが、互いに押圧する如く付勢されている。そして、表板には、読書中断時の読書中断行、又は、読書最終行を示すために、表板の長手方向に延びる長孔が形成される。
【先行技術文献】
【特許文献】
【０００３】
【特許文献１】実用新案登録第３１５５０５２号公報
【考案の概要】
【考案が解決しようとする課題】
【０００４】
しかし、上述したような表板と裏板を備えたクリップ状のしおりは、使用しないときには嵩張るものであり、また材質においてもある程度の強度や弾性が必要となるなど、材質の選定において自由度が低くなると共に、コスト高にもなる。
そこで、本考案は、材質に特に限定されることがなく、フラットな形状であることから嵩張ることも無く、しかしながら、書籍に挟んでいる間にずれることが無く、本を開くと直ぐに読み始める箇所など必要な箇所が分かるしおりを提案する。
【課題を解決するための手段】
【０００５】
上記課題を解決するために、短冊状のシートからなり、シートの短辺の一方側に切れ目により形成された舌部と、舌部以外の本体部とから構成され、本体部は、切れ目とは繋がっていない長辺方向に長い長孔を有するしおりが提供される。
これによれば、短冊状のシートからなるので特に材質に限定されることがなく、フラットな形状であることから嵩張ることもない。また、舌部と本体部で書籍のページを挟み込むことで、挟んでいる間にずれることがなく、本を開くと直ぐに読み始める箇所など必要な箇所が分かるようになったしおりを提供できる。また、長孔が切れ目と繋がっていないことで、短冊状のシートであっても構造上強いしおりを提供できる。
【０００６】
さらに、舌部と本体部は、少なくとも長辺方向の切れ目において互いに接することを特徴としてもよい。
これによれば、舌部と本体部が長手方向の切れ目において互いに接することで、この部分に隙間が開くよりもページを挟持する力が向上するので、挟んでいる間にずれることがさらになくなり、本を開くと直ぐに読み始める箇所など必要な箇所が分かるようになる。
【０００７】
さらに、切れ目の終端部において、短辺の一方側に凸の曲率を有する切り込みを備えることを特徴としてもよい。
これによれば、切れ目の終端部において、短辺の一方側に凸の曲率を有する切り込みを有することで、使用を重ねた時に終端部が破れてくるのを防止すると共に、その凸状の切り込みにページの端が挟み込まれることにより、さらに強固に挟持することができるので、挟んでいる間にずれることがさらになくなる。
【考案の効果】
【０００８】
以上説明したように、本考案によれば、材質に特に限定されることがなく、フラットな形状であることから嵩張ることも無く、しかしながら、書籍に挟んでいる間にずれることが無く、本を開くと直ぐに読み始める箇所など必要な箇所が分かるしおりを提供できる。
【図面の簡単な説明】
【０００９】
【図１】本考案に係る第一実施例のしおりの、（Ａ）正面図、（Ｂ）側面図。
【図２】本考案に係る第二実施例のしおりの、（Ａ）正面図、（Ｂ）側面図。
【図３】本考案に係る第三実施例のしおりの、（Ａ）正面図、（Ｂ）側面図。
【図４】本考案に係る第三実施例のしおりの使用時を示す説明図。
【考案を実施するための形態】
【００１０】
以下では、図面を参照しながら、本考案に係る各実施例について説明する。
＜第一実施例＞
図１を参照し、本実施例にかかるしおり１０について説明する。しおり１０は、書籍等を読んだ後に読み進んだページに挟んで、再度その書籍を読み始める際にその位置が直ぐ分るようにするために使用するものである。しおり１０は、短冊状のシートからなる。短冊とは細長いものの総称であり、本実施例では、細長い矩形である。しおり１０の短辺ＴＡと長辺ＣＨの比は、特に限定されるものではないが、一般に流通する書籍のページサイズの長辺を概ね７，８割カバーできる長辺を有し、後述する長孔を支持できる本体部を有することができる程度の短辺を有すればよい。
【００１１】
シートＳＨは、本図（Ｂ）に示すように、薄く平板はものであることをいう。かかる短冊状のシートＳＨからなるしおり１０の材質は、特に限定されず、紙、プラスチック、皮、金属など如何なる材質であってもよい。ただし、剛性が高く弾性がほとんどないものは、後述する舌部と本体部の間に挟まれるページの紙が折れてしまうことがあるので、ある程度弾性がある材質が好ましい。たとえば、ＰＥＴ（Ｐｏｌｙｅｔｈｙｌｅｎｅ  Ｔｅｒｅｐｈｔｈａｌａｔｅ、ポリエチレンテレフタラート）などのプラスチック材料である。
【００１２】
しおり１０は、シートＳＨの短辺ＴＡの一方側ＴＡ１に切れ目４により形成された舌部２と、舌部２以外の本体部１とから構成される。舌部２は、使用時に書籍のページの端（上端、右端、左端など）近傍に位置する短辺ＴＡの一方側ＴＡ１に設けられ、使用時には、切れ目４の終端部４Ｔが、ページの端に位置することとなる。舌部２は、切れ目４により形成される。すなわち、舌部２は、シートＳＨを刃型でプレスして舌状に切れ目４を作成して、その切れ目４で切り離すことにより形成される。
【００１３】
本体部１は、シートＳＨにおいて、舌部２以外の部分を言い、舌部２の上部すなわち舌部２の短辺ＴＡの一方側ＴＡ１で舌部２と接続されている。本体部１は、切れ目４とは繋がっていない長辺ＣＨ方向（長手方向）に長い長孔３を有する。長孔３は、シートＳＨの矩形よりもさらに細長い矩形であり、ページ内の行の文字が収まるように、０．５〜１ｃｍ程度の短辺を有することが好ましい。
【００１４】
しおり１０が使用される場合には、舌部２の正面側の面が書籍のページの裏面と接し、舌部２の横すなわち長辺ＣＨ寄りの本体部１の背面側の面が書籍のページの表面と接するようにして、しおり１０は、書籍のページを挟む。本体部１が書籍のページの表面を覆うが、長孔３を通して書籍のページの表面に書かれた文字が表れることで、その表れた文字の位置が読み始める位置であることが明白になる。
【００１５】
このように、しおり１０は、舌部２と本体部１で書籍のページを挟み込むことで、挟んでいる間にずれることが無く、本を開くと直ぐに読み始める箇所など必要な箇所が分かる。また、しおり１０は、短冊状のシートからなるので特に材質に限定されることがなく、フラットな形状でありことから嵩張ることも無い。また、しおり１０は、長孔３が切れ目４と繋がっていないことで、繋がっている場合と比べて短冊状のシートＳＨであっても構造上強くなり、舌部２と本体部１で挟持する力が強くなり、挟んでいる間にしおり１０がずれることがなくなる。
【００１６】
＜第二実施例＞
図２を参照し、本実施例にかかるしおり１０Ａについて説明する。なお、重複記載を避けるために、上記実施例と同じ構成要素には同じ符号を付し、異なる部分を中心に説明する。しおり１０Ａは、シートＳＨの短辺ＴＡの一方側ＴＡ１に切れ目４Ａにより形成された舌部２Ａと、舌部２Ａ以外の本体部１Ａとから構成される。
【００１７】
舌部２Ａは、切れ目４Ａにより形成される。上記実施例の舌部２は、すべての切れ目４において本体部１と接しているが、本実施例では、舌部２Ａと本体部１Ａは、長辺ＣＨ方向（長手方向）の切れ目４ＣＨにおいてのみ互いに接している。すなわち、舌部２Ａの短辺ＴＡの他方側ＴＡ２において舌部２Ａと本体部１Ａの間に、隙間６が存する。隙間６が存することで、使用者は、隙間６に指を入れて舌部２Ａを摘まむことができるので、舌部２Ａを摘まんで書籍のページを挟み易くなる。
【００１８】
また、舌部２Ａと本体部１Ａは、少なくとも長辺ＣＨ方向（長手方向）の切れ目４ＣＨにおいて互いに接することで、この部分に隙間が開くよりもページを挟持する力が向上するので、挟んでいる間にずれることがさらになくなり、本を開くと直ぐに読み始める箇所など必要な箇所が分かるようになる。
【００１９】
＜第三実施例＞
図３および図４を参照し、本実施例にかかるしおり１０Ｂについて説明する。なお、重複記載を避けるために、上記実施例と同じ構成要素には同じ符号を付し、異なる部分を中心に説明する。しおり１０Ｂは、シートＳＨの短辺ＴＡの一方側ＴＡ１に切れ目４Ｂにより形成された舌部２Ｂと、舌部２Ｂ以外の本体部１Ｂとから構成される。しおり１０Ｂは、切れ目４Ｂの終端部４Ｔにおいて、短辺ＴＡの一方側ＴＡ１に凸の曲率を有する切り込み５を備える。
【００２０】
切れ目４Ｂの終端部４Ｔは、書籍のページの端Ｐを最も強く挟み込む部分である。この部分に、図４に示すように、切り込み５を備えて、その切り込み５に書籍のページの端Ｐが挟み込まれることで、舌部２Ｂと本体部１Ｂとでより強固に書籍のページを挟持することができる。したがって、切れ目４の終端部４Ｔにおいて、短辺ＴＡの一方側ＴＡ１に凸の曲率を有する切り込み５を備えることで、使用を重ねた時に終端部４Ｔが破れてくるのを防止すると共に、その凸状の切り込み５にページの端Ｐが挟み込まれることにより、さらに強固に挟持することができるので、挟んでいる間にずれることがさらになくなる。
【００２１】
なお、本考案は、例示した実施例に限定するものではなく、特許請求の範囲の各項に記載された内容から逸脱しない範囲の構成による実施が可能である。すなわち、本考案は、主に特定の実施形態に関して特に図示され、かつ説明されているが、本考案の技術的思想および目的の範囲から逸脱することなく、以上述べた実施形態に対し、数量、適用例、その他の詳細な構成において、当業者が様々な変形を加えることができるものである。
【符号の説明】
【００２２】
１０    しおり
１      本体部
２      舌部
３      長孔
４      切れ目
４ＣＨ  切れ目の長辺方向
４Ｔ    切れ目の終端部
５      切り込み
６      隙間
ＳＨ    シート
ＴＡ    短辺
ＴＡ１  短辺の一方側
ＴＡ２  短辺の他方側
ＣＨ    長辺
Ｐ      書籍のページの端
【図１】
0003203902.tif 000003
【図２】
0003203902.tif 000004
【図３】
0003203902.tif 000005
【図４】
0003203902.tif 000006